(57)【特許請求の範囲】
【請求項１】
リール本体に対して前後移動自在なスピニングリールのスプールであって、
外周に釣り糸が巻き付けられる筒状の糸巻胴部と、
前記糸巻胴部の前端部に取り付けられる前フランジ部と、
前記糸巻胴部と前記前フランジ部との外方に露出する接合面の隙間に装着される糸噛み防止部材とを備え、
前記前フランジ部は、前記糸巻胴部側に折れ曲がる屈曲部を有し、
前記糸噛み防止部材は、前記糸巻胴部の外周面と前記屈曲部の内周部との間に設けられている、スピニングリールのスプール。
【請求項２】
前記糸噛み防止部材は、前記屈曲部の後面と前記糸巻胴部の外周面とを滑らかに連結するような形状に形成されている、請求項１に記載のスピニングリールのスプール。
【請求項３】
前記糸噛み防止部材は金属製のリング部材である、請求項１又は２に記載のスピニングリールのスプール。
【請求項４】
前記糸噛み防止部材は合成樹脂製のリング部材である、請求項１又は２に記載のスピニングリールのスプール。
【請求項５】
前記糸巻胴部は、金属薄板により形成された筒状部と、前記筒状部の内周側に取り付けられた内筒部材とを有している、請求項１から４のいずれかに記載のスピニングリールのスプール。
【請求項６】
リール本体に対して前後移動自在なスピニングリールのスプールであって、
外周に釣り糸が巻き付けられる筒状の糸巻胴部と、
前記糸巻胴部の前端部に取り付けられる前フランジ部と、
前記糸巻胴部と前記前フランジ部との外方に露出する接合面の隙間に装着される糸噛み防止部材とを備え、
前記糸巻胴部は、金属薄板により形成された筒状部と、前記筒状部の内周側に取り付けられた内筒部材と、前記筒状部と一体成形され前記筒状部の前端部から内周側に延びる内フランジ部とを有し、
前記糸噛み防止部材は、前記前フランジ部と前記内フランジ部との間に設けられている、スピニングリールのスプール。
【請求項７】
前記糸巻胴部の後端部に設けられ、前記糸巻胴部より大径のスカート部をさらに備え、前記筒状部は、前記金属薄板をプレス加工することにより、前記スカート部と一体成形されている、請求項５又は６に記載のスピニングリールのスプール。
【請求項８】
前記内筒部材は合成樹脂製である、請求項５から７のいずれかに記載のスピニングリールのスプール。
【請求項９】
前記内筒部材は金属製である、請求項５から７のいずれかに記載のスピニングリールのスプール。
【発明の詳細な説明】
【０００１】
【発明の属する技術分野】
本発明は、スプール、特に、リール本体に対して前後移動自在なスピニングリールのスプールに関する。
【０００２】
【従来の技術】
一般にスピニングリールは、ハンドルを回転自在に支持するリール本体と、ロータと、スプールとを備えている。スピニングリールのスプールは、リール本体に対して前後移動自在であり、釣り糸が巻かれる糸巻胴部と、糸巻胴部の前端に取り付けられ糸巻胴部の外径より大きい外径を有する前フランジ部と、糸巻胴部の後方に設けられたスカート部とを備えている。
【０００３】
このようなスプールでは、スプール全体の軽量化を図るために、糸巻胴部がたとえば合成樹脂により形成されたものや、アルミニウム合金等の金属薄板により形成されたものが知られている。その一方で、糸巻胴部を合成樹脂や金属薄板で形成すると、糸巻胴部の比強度が低下するおそれがある。しかし、前フランジ部は、比強度を維持し、かつ釣り糸の滑りを向上させることが必要である。このため、前フランジ部は糸巻胴部と材質の異なるステンレス等の別部材により形成されていることが多い。
【０００４】
【発明が解決しようとする課題】
前記従来のスプールでは、前フランジ部は糸巻胴部と別体で設けられているので、糸巻胴部と前フランジ部との嵌合部分、すなわち糸巻胴部と前フランジ部との外方に露出する接合面の間に隙間が生成され、この隙間に釣り糸が噛み込んでしまうおそれがある。
【０００５】
そこで、糸巻胴部と前フランジ部との間に隙間を生じさせないようにするために、糸巻胴部と前フランジ部との嵌合部分を高精度に形成することが要求される。このように嵌合部分の精度を高く要求されると、嵌合部分の形成に手間がかかるとともに、コストが高くなるといった弊害が生じる。
【０００６】
本発明の課題は、スピニングリールのスプールにおいて、糸巻胴部と前フランジ部との間への釣り糸の噛み込みを容易かつ安価に防止することにある。
【０００７】
【課題を解決するための手段】
発明１に係るスピニングリールのスプールは、リール本体に対して前後移動自在なスピニングリールのスプールであって、外周に釣り糸が巻き付けられる筒状の糸巻胴部と、糸巻胴部の前端部に取り付けられる前フランジ部と、糸巻胴部と前フランジ部との外方に露出する接合面の隙間に装着される糸噛み防止部材とを備えている。前フランジ部は糸巻胴部側に折れ曲がる屈曲部を有し、糸噛み防止部材は糸巻胴部の外周面と屈曲部の内周部との間に設けられている。
【０００８】
このようなスプールでは、糸巻胴部と前フランジ部との外方に露出する接合面の隙間に糸噛み防止部材が取り付けられている。このため、前フランジ部と糸巻胴部との間には糸噛み防止部材によって隙間が生成されないので、釣り糸の噛み込みを防止することができる。また、前フランジ部と糸巻胴部との間に糸噛み防止部材を設けることにより、糸巻胴部と前フランジ部との嵌合部分を高精度に形成する必要がないので、両者を容易かつ安価に形成することができる。さらに、この場合は、前フランジ部はたとえばへら絞り等により糸巻胴部側、すなわち後方側に屈曲する形状に形成されている。ここでは、比較的精度を出しにくい屈曲部の内周部と糸巻胴部の外周面との間に隙間に糸噛み防止部材を設けることにより、釣り糸の噛み込みを確実に防止することができる。
【０００９】
発明２に係るスプールは、発明１のスプールにおいて、糸噛み防止部材は屈曲部の後面と糸巻胴部の外周面とを滑らかに連結するような形状に形成されている。この場合は、糸噛み防止部材と糸巻胴部及び屈曲部後面との間に隙間が形成されることなくかつ滑らかに連結されているので、釣り糸の噛み込みをさらに防止することができる。
【００１０】
発明３に係るスプールは、発明１又は２のスプールにおいて、糸噛み防止部材は金属製のリング部材である。この場合は、たとえば環状かつ板状の一般的によく使用されるワッシャー等のリング部材やスリーブ部材を用いることにより、低コスト化を図ることができる。
【００１１】
発明４に係るスプールは、発明１又は２のスプールにおいて、糸噛み防止部材は合成樹脂製のリング部材である。この場合は、たとえば弾性を有する合成樹脂を用いることにより、糸巻胴部や前フランジ部に多少の加工誤差が生じても、糸噛み防止部材によって誤差を吸収しやすくなる。
【００１２】
発明５に係るスプールは、発明１から４のいずれかのスプールにおいて、糸巻胴部は、金属薄板により形成された筒状部と、筒状部の内周側に取り付けられた内筒部材とを有している。この場合は、金属薄板製の筒状部の内周側には内筒部材が取り付けられている。このため、比較的変形しやすい金属薄板製の筒状部であっても、糸噛み防止部材を設けることによって、前フランジ部と筒状部との間に隙間が生じにくくなる。
【００１３】
発明６に係るスピニングリールのスプールは、リール本体に対して前後移動自在なスピニングリールのスプールであって、外周に釣り糸が巻き付けられる筒状の糸巻胴部と、糸巻胴部の前端部に取り付けられる前フランジ部と、糸巻胴部と前フランジ部との外方に露出する接合面の隙間に装着される糸噛み防止部材とを備えている。糸巻胴部は、金属薄板により形成された筒状部と、筒状部の内周側に取り付けられた内筒部材と、筒状部と一体成形され筒状部の端部が内周側に延びる内フランジ部とを有している。糸噛み防止部材は、前フランジ部と内フランジ部との間に設けられている。
【００１４】
このようなスプールでは、糸巻胴部と前フランジ部との外方に露出する接合面の隙間に糸噛み防止部材が取り付けられている。このため、前フランジ部と糸巻胴部との間には糸噛み防止部材によって隙間が生成されないので、釣り糸の噛み込みを防止することができる。また、前フランジ部と糸巻胴部との間に糸噛み防止部材を設けることにより、糸巻胴部と前フランジ部との嵌合部分を高精度に形成する必要がないので、両者を容易かつ安価に形成することができる。また、この場合は、金属薄板製の筒状部の内周側には内筒部材が取り付けられている。このため、比較的変形しやすい金属薄板製の筒状部であっても、糸噛み防止部材を設けることによって、前フランジ部と筒状部との間に隙間が生じにくくなる。さらに、この場合は、内フランジ部を設けて糸巻胴部の強度を高く維持しても、前フランジ部と内フランジ部との間の糸噛みを確実に防止できる。
【００１５】
発明７に係るスプールは、発明５又は６のスプールにおいて、糸巻胴部の後端部に設けられ、糸巻胴部より大径のスカート部をさらに備え、筒状部は、金属薄板をプレス加工することにより、スカート部と一体成形されている。この場合は、絞り加工等のプレス加工により、スプール全体の軽量化を図ることができる。
【００１６】
発明８に係るスプールは、発明５から７のいずれかのスプールにおいて、内筒部材は合成樹脂製である。この場合は、比較的軽量な合成樹脂により、糸巻胴部の軽量化を図ることができる。特にリアドラグ型のスピニングリールでは、スプールにドラグ機構を設けなくてもよいので、軽量化の効果が顕著になる。
【００１７】
発明９に係るスプールは、発明５から７のいずれかのスプールにおいて、内筒部材は金属製である。この場合は、糸巻胴部の高強度化を図ることができる。
【００１８】
【発明の実施の形態】
本発明の一実施形態を採用したスピニングリールは、図１に示すように、リアドラグ型のスピニングリールである。スピニングリールは、ハンドル１を回転自在に支持するリール本体２と、ロータ３と、スプール４と、リアドラグ機構５０とを備えている。ロータ３は、リール本体２の前部に回転自在に支持されている。スプール４は、釣り糸を外周面に巻き取るものであり、ロータ３の前部に前後移動自在に配置されている。リアドラグ機構５０は、リール本体２の後部に装着されている。
【００１９】
リール本体２は、リールボディ２ａと、リールボディ２ａから斜め上前方に延びる竿取付脚２ｂとを有している。リールボディ２ａは、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２０】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部は、ロータ３の中心部を貫通し、ナットによりロータ３と固定されている。ピニオンギア１２は、その軸方向の中間部と後端部とが、それぞれ軸受を介してリール本体２に回転自在に支持されている。
【００２１】
オシレーティング機構６は、先端にスプール４が連結され前後に延びるスプール軸１５を前後方向に移動させてスプール４を同方向に移動させるための機構である。オシレーティング機構６は、減速ギア式のものであり、フェースギア１１と連動して回転するギア部材２１と、ギア部材２１に連動してスプール軸方向に往復移動するスライダ２２とを有している。スライダ２２は、スプール軸１５に対して回転自在かつ軸方向移動不能である。スライダ２２は、リールボディ２ａによってスプール軸１５と平行に移動するように案内されている。
【００２２】
リアドラグ機構５０は、スプール軸１５の後端部に回転不能かつ軸方向移動自在に連結されており、スプール軸１５を介してスプール４の糸繰り出し方向の回転を制動するものである。
【００２３】
ロータ３は、円筒部３０と、円筒部３０の側方に互いに対向して設けられた第１及び第２ロータアーム３２とを有している。円筒部３０と両ロータアーム３２とは、たとえばアルミニウム合金製であり一体成形されている。
【００２４】
第１ロータアーム３１は、円筒部３０から外方に凸に湾曲して前方に延びており、円筒部３０との接続部分は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ（図示せず）が装着されている。
【００２５】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端内周側には、第２ベール支持部材４２が揺動自在に装着されている。
【００２６】
ラインローラと第２ベール支持部材４２との間には線材を略Ｕ状に湾曲させた形状のベール４３が固定されている。これらの第１及び第２ベール支持部材４０、４２、ラインローラ及びベール４３により釣り糸をスプール４に案内するベールアーム４４が構成される。ベールアーム４４は、図１に示す糸案内姿勢とそれから反転した糸開放姿勢との間で揺動自在である。
【００２７】
スプール４は、ロータ３の第１ロータアーム３１と第２ロータアーム３２との間に配置されており、スプール軸１５に着脱機構６０により着脱自在に装着され、ピン１６により回転不能に係止されている。ピン１６は、スプール軸１５に径方向に貫通して装着されており、スプール４の後部に形成された係止溝４ａに係止されている。
【００２８】
スプール４は、図２に拡大して示すように、スプール本体７と、糸巻胴部７ａの前端部に取り付けられた大径の前フランジ部８と、前フランジ部８の前方に配置されたフランジ固定部材９とを有している。スプール本体７は、外周に釣り糸が巻かれる筒状の糸巻胴部７ａと糸巻胴部７ａの後端部に一体成形された大径筒状のスカート部７ｂと糸巻胴部７ａの内周側に取り付けられた内筒部材７ｃとを有している。
【００２９】
糸巻胴部７ａ及びスカート部７ｂは、アルミニウム合金の薄板をプレス加工により一体成形して得られた大小２段の筒状の部材である。これらの外周面には、高級感がある外観を演出するために、旋盤により切削加工が施されており、前フランジ部８が装着される前端部外周面には、前フランジ部８とで隙間が生じないようにするために糸噛み防止部材１３が装着されている。
【００３０】
糸巻胴部７ａは、外周に釣り糸が巻き付けられる筒状部７ｄと、筒状部７ｄの前端部に一体成形された内フランジ部７ｅとを有している。内フランジ部７ｅは、内筒部材７ｃの前端部に接するように内側に折れ曲がるようにプレス加工されている。内フランジ部７ｅは、内筒部材７ｃの前端部と前フランジ部８との間に挟持されている。内フランジ部７ｅには、装着用のたとえば４本の固定ボルト１４が貫通する４つの貫通孔７ｆが、周方向に間隔を隔てて形成されている。
【００３１】
スカート部７ｂには、段付きの凹部７ｇが形成されており、この凹部７ｇに釣り糸の先端部分を係止するための釣り糸係止部７０が装着されている。凹部７ｇと釣り糸係止部７０との間には、釣り糸を挟持するための隙間が生成されている。
【００３２】
内筒部材７ｃは、糸巻胴部７ａの内周側に取り付けられ、着脱機構６０が前端部に装着される合成樹脂製の筒状部材である。内筒部材７ｃは、ピン１６によりスプール軸１５に回転不能に装着されている。内筒部材７ｃの前端部内周側には、雄ねじ部７ｈを有する筒状突出部７ｉが形成されている。雄ねじ部７ｈは後述するフランジ固定部材９に形成された雌ねじ部９ａに螺合している。内筒部材７ｃの筒状突出部７ｉの外周側には、固定ボルト１４がねじ込まれる４つのねじ穴７ｊが周方向に間隔を隔てて形成されている。内筒部材７ｃの後端部には、糸巻胴部７ａの後部に沿って外周側に広がる鍔部７ｋが形成されており、この鍔部７ｋに釣り糸係止部７０が取り付けられている。なお、釣り糸係止部７０は、弾性変形可能な側面断面略Ｔ字状部材である。釣り糸係止部７０は、内筒部材７ｃの後端面に突出して形成された突起８０に取り付けられ、突起８０の先端に装着されたプッシュナット８１により内筒部材７ｃに装着固定されている。
【００３３】
前フランジ部８は、糸巻胴部７ａ側に折れ曲がる屈曲部８ａを有する部材である。屈曲部８ａは、たとえばアルミニウムなどの金属板をカーリング加工して形成している。前フランジ部８は、外周側が前方にやや傾斜しており、屈曲部８ａを境にして前部８ｂと後部８ｃとを有している。前フランジ部８の前部８ｂは、内筒部材７ｃの前端面や糸巻胴部７ａの内フランジ部７ｅに対向する位置まで内周側に延びている。前部８ｂのねじ穴７ｊに対向する位置には、固定ボルト１４が貫通する、たとえば４つの貫通孔８ｄが周方向に間隔を隔てて形成されている。後部８ｃの内周面は、糸巻胴部７ａの外周面と所定の隙間をあけて配置されている。この隙間に糸噛み防止部材１３が装着されている。
【００３４】
固定ボルト１４は、貫通孔８ｄ，７ｆを貫通してねじ穴７ｊにねじ込まれており、前フランジ部８と糸巻胴部７ａとをまとめて内筒部材７ｃに固定している。
【００３５】
糸噛み防止部材１３は、筒状の合成樹脂製の部材であり、前フランジ部８と糸巻胴部７ａとの隙間に釣り糸が噛み込むのを防止するためのものである。糸噛み防止部材１３は、糸巻胴部７ａと前フランジ部８との外方に露出する接合面の隙間に装着されている。糸噛み防止部材１３は、前フランジ部８の後部８ｃの後面と糸巻胴部７ａの外周面とを滑らかに連結する突起１３ａを有している。また、糸噛み防止部材１３の先端部は、糸巻胴部７ａの先端に内フランジ部７ｅに向かって湾曲して形成されたアール面に沿って内周側に延びている。
【００３６】
このような糸噛み防止部材１３を設けると、カーリング加工によって屈曲部８ａが形成された比較的精度を出しにくい前フランジ部８の後部８ｃの内周面と糸巻胴部７ａとの隙間が塞がれるので、前フランジ部８の後部８ｃの内周面を加工することなく糸噛みを防止できる。また、突起１３ａにより後部８ｃの後面と糸巻胴部７ａの外周面とが滑らかに連結されるので、さらに糸噛みが生じにくくなり、糸噛みを確実に防止できる。
【００３７】
フランジ固定部材９は、外周部前面が後方に傾斜するように形成されたフランジ状の部材であり、内周側後部には雌ねじ部９ａが形成されている。この雌ねじ部９ａを内筒部材７ｃの雄ねじ部７ｈに螺合させることにより、フランジ固定部材９が内筒部材７ｃにねじ込み固定されている。フランジ固定部材９の外周部は、前フランジ部８の前部８ｂに当接しており、前フランジ部８を僅かに押圧している。これにより、前フランジ部８を固定しているとともに、フランジ固定部材９の緩み止めを行っている。
【００３８】
着脱機構６０は、筒状突出部７ｉの内部に装着されたバネ部材６１と、バネ部材６１を拡縮動作させる着脱ボタン６２とを有している。バネ部材６１は、スプール軸１５の先端に形成された係止溝１５ａ（図１R>１）に係止される係止部６１ａを有している。着脱ボタン６２に軸方向に移動自在であり、かつバネ部材６１により突出方向に付勢されている。また、突出方向にはフランジ固定部材９により飛び出さないように係止されている。この着脱ボタン６２の押圧操作により係止部６１ａを開いて係止溝１５ａから外すことにより、スプール４をスプール軸１５から取り外すことができる。
【００３９】
このようなスプール４では、糸巻胴部７ａと前フランジ部８との外方に露出する接合面の隙間に糸噛み防止部材１３が取り付けられている。このため、前フランジ部８と糸巻胴部７ａとの間には糸噛み防止部材１３によって隙間が生成されないので、釣り糸の噛み込みを防止することができる。また、前フランジ部８と糸巻胴部７ａとの間に糸噛み防止部材１３を設けることにより、糸巻胴部７ａと前フランジ部８との嵌合部分を高精度に形成する必要がないので、両者を容易かつ安価に形成することができる。しかも、糸巻胴部７ａには、前端部が内側に折れ曲がる内フランジ部７ｅが一体成形されているので、糸巻胴部７ａの強度を高く維持することができる。
【００４０】
〔他の実施形態〕
（ａ）  前記実施形態では、薄板金属製の素材をカーリング加工して屈曲部を形成した前フランジ部８を例示したが、屈曲部の加工方法はこれに限定されないとともに、形状もこれに限定されない。また、前フランジ部８は金属製でもよく合成樹脂やセラミックス等の非金属製でもよい。
【００４１】
（ｂ）  前記実施形態では、スプール本体７を糸巻胴部７ａと内筒部材７ｃとで構成したが、糸巻胴部７ａと内筒部材７ｃとを一体形成したものであってもよい。
【００４２】
（ｃ）  前記実施形態では、リアドラグ型のスピニングリールのスプールを例に説明したが、フロントドラグ型やレバーブレーキ型のスピニングリールのスプール等、全ての型のスピニングリールのスプールに本発明を適用できる。
【００４３】
【発明の効果】
本発明によれば、糸巻胴部と前フランジ部との外方に露出する接合面の隙間に糸噛み防止部材が取り付けられている。このため、前フランジ部と糸巻胴部との間には糸噛み防止部材によって隙間が生成されないので、釣り糸の噛み込みを防止することができる。また、前フランジ部と糸巻胴部との間に糸噛み防止部材を設けることにより、糸巻胴部と前フランジ部との嵌合部分を高精度に形成する必要がないので、両者を容易かつ安価に形成することができる。
【図面の簡単な説明】
【図１】  本発明の一実施形態を採用したスピニングリールの縦断面図。
【図２】  そのスプール部分の断面拡大部。
【符号の説明】
２  リール本体
４  スプール
７  スプール本体
７ａ  糸巻胴部
７ｂ  スカート部
７ｃ  内筒部材
７ｄ  筒状部
７ｅ  内フランジ部
８  前フランジ部
８ａ  屈曲部
１３  糸噛み防止部材
【図１】
0003753417.tif 000002
【図２】
0003753417.tif 000003